(57)【特許請求の範囲】
【請求項１】
光ディスクにレーザ光を照射し、その反射光を検出する光ピックアップと、
記録信号によって変調されたレーザ光を出射するように前記光ピックアップに含まれる半導体レーザを駆動するレーザ駆動手段と、
前記レーザ光のパワーを調整するための元データを記憶する記憶手段と、
前記元データに基づいて初期化用データまたは評価用データを選択的に生成し、その生成した初期化用データまたは評価用データを前記記録信号として前記レーザ駆動手段へ出力するエンコード手段と、
前記光ピックアップが前記光ディスクから再生した再生信号をデコードし、前記再生信号のエラーレートを検出するデコード手段と、
制御手段とを備え、
前記制御手段は、前記レーザ光のパワーを調整するとき、前記元データを前記記憶手段から読出して前記エンコード手段へ与え、前記元データに基づいて前記初期化用データを生成するように前記エンコード手段を制御する初期化処理を行なう、光ディスク装置。
【請求項２】
光ディスクにレーザ光を照射し、その反射光を検出する光ピックアップと、
所定強度のレーザ光を出射するように前記光ピックアップに含まれる半導体レーザを駆動するレーザ駆動手段と、
前記光ディスクに磁界を印加する磁気ヘッドと、
記録信号によって変調された磁界を発生するように前記磁気ヘッドを駆動する磁気ヘッド駆動手段と、
前記レーザ光のパワーを調整するための元データを記憶する記憶手段と、
前記元データに基づいて初期化用データまたは評価用データを選択的に生成し、その生成した初期化用データまたは評価用データを前記記録信号として前記磁気ヘッド駆動手段へ出力するエンコード手段と、
前記光ピックアップが前記光ディスクから再生した再生信号をデコードし、前記再生信号のエラーレートを検出するデコード手段と、
制御手段とを備え、
前記制御手段は、前記レーザ光のパワーを調整するとき、前記元データを前記記憶手段から読出して前記エンコード手段へ与え、前記元データに基づいて前記初期化用データを生成するように前記エンコード手段を制御する初期化処理を行なう、光ディスク装置。
【請求項３】
前記制御手段は、前記レーザ光の再生パワーを調整するとき、前記初期化処理によって前記初期化用データが前記光ディスクに記録されると、前記元データを前記記憶手段から読出して前記エンコード手段へ与え、前記元データに基づいて前記評価用データを生成するように前記エンコード手段を制御し、前記レーザ光のパワーを変化させて前記光ピックアップが前記光ディスクから再生した前記評価用データの再生信号のエラーレートを前記デコード手段から受け、前記エラーレートが最小となるパワーを前記レーザ光の最適再生パワーと決定する再生パワーの最適化処理を行なう、請求項１または請求項２に記載の光ディスク装置。
【請求項４】
前記光ディスクは、ラジアル方向に交互に配置されたランドとグルーブとから成るトラック構造を有し、
前記制御手段は、前記レーザ光の再生パワーを調整するとき、前記再生パワーの最適化処理を前記ランドまたは前記グルーブごとに行なう、請求項３に記載の光ディスク装置。
【請求項５】
前記記憶手段は、前記レーザ光の再生パワーを調整するためのランド用の元データと、前記レーザ光の再生パワーを調整するためのグルーブ用の元データとを記憶し、
前記制御手段は、
前記ランドにおける再生パワーを調整するとき、前記ランド用の元データを前記記憶手段から読出して前記エンコード手段に与え、
前記グルーブにおける再生パワーを調整するとき、前記グルーブ用の元データを前記記憶手段から読出して前記エンコード手段に与える、請求項４に記載の光ディスク装置。
【請求項６】
前記光ディスクは、ラジアル方向に交互に配置されたランドとグルーブとから成るトラック構造を有し、
前記制御手段は、前記レーザ光の記録パワーを調整するとき、前記初期化処理によって前記初期化用データが前記光ディスクに記録されると、前記元データを前記記憶手段から読出して前記エンコード手段へ与え、前記元データに基づいて前記評価用データを生成するように前記エンコード手段を制御し、パワーが変化され、かつ、前記記録信号によって変調されたレーザ光を出射させるように前記レーザ駆動手段を制御し、前記評価用データの再生信号のエラーレートを前記デコード手段から受け、前記エラーレートが所定値よりも小さくなる最小の記録パワーと最大の記録パワーとを検出し、前記最小の記録パワーと前記最大の記録パワーとの中間値を最適記録パワーと決定する記録パワーの最適化処理を行ない、
前記制御手段は、さらに、
前記ランドにおけるレーザ光の記録パワーを調整するとき、調整対象のランドに隣接するグルーブに前記評価用データが記録されると、前記調整対象のランドに対して前記記録パワーの最適化処理を行ない、
前記グルーブにおけるレーザ光の記録パワーを調整するとき、調整対象のグルーブに隣接するランドに前記評価用データが記録されると、前記調整対象のグルーブに対して前記記録パワーの最適化処理を行ない、
前記ランドにおける記録パワーの最適化処理において、前記最大の記録パワーは、前記調整対象のランドに隣接するグルーブから再生された再生信号のエラーレートに基づいて決定され、
前記グルーブにおける記録パワーの最適化処理において、前記最大の記録パワーは、前記調整対象のグルーブに隣接するランドから再生された再生信号のエラーレートに基づいて決定される、請求項１に記載の光ディスク装置。
【請求項７】
前記光ディスクは、ラジアル方向に交互に配置されたランドとグルーブとから成るトラック構造を有し、
前記制御手段は、前記レーザ光の記録パワーを調整するとき、前記初期化処理によって前記初期化用データが前記光ディスクに記録されると、前記元データを前記記憶手段から読出して前記エンコード手段へ与え、前記元データに基づいて前記評価用データを生成するように前記エンコード手段を制御し、パワーが変化されたレーザ光を出射させるように前記レーザ駆動手段を制御し、前記評価用データの再生信号のエラーレートを前記デコード手段から受け、前記エラーレートが所定値よりも小さくなる最小の記録パワーと最大の記録パワーとを検出し、前記最小の記録パワーと前記最大の記録パワーとの中間値を最適記録パワーと決定する記録パワーの最適化処理を行ない、
前記制御手段は、さらに、
前記ランドにおけるレーザ光の記録パワーを調整するとき、調整対象のランドに隣接するグルーブに前記評価用データが記録されると、前記調整対象のランドに対して前記記録パワーの最適化処理を行ない、
前記グルーブにおけるレーザ光の記録パワーを調整するとき、調整対象のグルーブに隣接するランドに前記評価用データが記録されると、前記調整対象のグルーブに対して前記記録パワーの最適化処理を行ない、
前記ランドにおける記録パワーの最適化処理において、前記最大の記録パワーは、前記調整対象のランドに隣接するグルーブから再生された再生信号のエラーレートに基づいて決定され、
前記グルーブにおける記録パワーの最適化処理において、前記最大の記録パワーは、前記調整対象のグルーブに隣接するランドから再生された再生信号のエラーレートに基づいて決定される、請求項２に記載の光ディスク装置。
【請求項８】
前記記憶手段は、前記レーザ光のパワーを調整するためのランド用の元データと、前記レーザ光のパワーを調整するためのグルーブ用の元データとを記憶し、
前記制御手段は、
前記ランドに前記評価用データを記録するとき、前記ランド用の元データを前記記憶手段から読出して前記エンコード手段に与え、
前記グルーブに前記評価用データを記録するとき、前記グルーブ用の元データを前記記憶手段から読出して前記エンコード手段に与える、請求項６または請求項７に記載の光ディスク装置。
【請求項９】
前記エンコード手段は、前記元データに対して所定の方式によるスクランブル処理を行なうことによって前記評価用データを生成し、前記元データに対してスクランブル処理をしないことによって前記初期化用データを生成する、請求項１から請求項８のいずれか１項に記載の光ディスク装置。
【請求項１０】
前記デコード手段は、前記再生信号に対して前記スクランブル処理を解除してデコードを行なうことによって前記再生信号のエラーレートを求める、請求項９に記載の光ディスク装置。
【請求項１１】
前記光ディスクは、各々がテスト領域を含み、かつ、ラジアル方向に分割された複数の領域を有し、
前記光ピックアップを前記ラジアル方向に移動させるサーボ手段をさらに備え、
前記制御手段は、前記レーザ光のパワーを調整するとき、前記光ピックアップを前記テスト領域へ移動させるように前記サーボ手段を制御する、請求項１から請求項１０のいずれか１項に記載の光ディスク装置。
【発明の詳細な説明】
【０００１】
【発明の属する技術分野】
この発明は、光ディスクに信号を記録および／または再生するときのレーザ光のパワーを調整する光ディスク装置に関するものである。
【０００２】
【従来の技術】
最近、信号の記録および再生が可能な記録媒体として光磁気ディスクが注目されている。この光磁気ディスクは、ラジアル方向にランドとグルーブとを交互に配したトラック構造を有し、ランドとグルーブとの両方に信号を記録することによって高容量化を実現している。そして、最近、規格されたＡＳ−ＭＯ（Ａｄｖａｎｃｅｄ  Ｓｔｏｒａｇｅｄ  Ｍａｇｎｅｔｏ  Ｏｐｔｉｃａｌ  ｄｉｓｋ）規格においては、直径１２ｃｍの光磁気ディスクで６Ｇｂｙｔｅｓの記録容量を達成している。
【０００３】
また、信号の記録および再生が可能な記録媒体としてＤＶＤ−ＲＡＭが実用化されている。このＤＶＤ−ＲＡＭも、ラジアル方向にランドとグルーブとを交互に配したトラック構造を有し、ランドとグルーブとの両方に信号を記録する。
【０００４】
これらの光磁気ディスクおよびＤＶＤ−ＲＡＭ等の光ディスクに信号を記録および／または再生するとき、光ディスクに照射するレーザ光を最適化する必要がある。つまり、レーザ光の最適記録パワーと最適再生パワーとを決定し、その決定した最適記録パワーおよび最適再生パワーを用いて光ディスクに信号を記録し、または信号を再生する必要がある。
【０００５】
再生パワーを最適化するとき、光ディスクに信号を記録し、レーザ光のパワーを変化させて記録した信号を再生する。そして、再生した再生信号のエラーレートが最小となるように再生パワーを最適化する。また、記録パワーを最適化するとき、レーザ光のパワーを変化させて光ディスクに信号を記録し、その記録した信号を、最適化した再生パワーによって再生する。そして、再生信号のエラーレートが最小となるように記録パワーを最適化する。
【０００６】
【発明が解決しようとする課題】
しかし、上述した光磁気ディスクやＤＶＤ−ＲＡＭ等のように書換え可能な光ディスクにおいて再生パワーおよび記録パワーを調整するとき、すでに記録された記録信号が光ディスクに残っていることがあり、まず、残っている記録信号を初期化用データによって消去した後に評価用データを光ディスクに記録して再生パワーや記録パワーを調整する必要がある。したがって、再生パワーおよび記録パワーを最適化する光ディスク装置は、初期化用データと評価用データの２種類のデータを保持する必要がある。
【０００７】
また、記録パワーおよび再生パワーを調整する対象の光ディスクが光磁気ディスクまたはＤＶＤ−ＲＡＭであるとき、上述したようにランドとグルーブとに信号を記録および／または再生するため、光ディスク装置は、ランドおよびグルーブの各々に対して初期化用データと評価用データとを保持する必要がある。
【０００８】
このような初期化用データおよび評価用データをメモリに保持することは、メモリへの初期化用データおよび評価用データの展開時間が、レーザパワーを最適化する処理時間に加算されるため、初期化用データまたは評価用データのデータサイズが、レーザパワーを最適化する処理時間に反映され、初期化用データまたは評価用データのデータサイズが大きいとき、レーザパワーを最適化する処理時間が長くなるという問題がある。
【０００９】
また、レーザパワーを最適化する処理時間を短縮するために、一度、メモリに格納したデータをメモリに保持しておく方法が用いられるが、初期化用データまたは評価用データのデータサイズが大きいとき、通常動作時に使用できるメモリ容量が減少し、ドライブの処理能力が低下するという問題がある。
【００１０】
そこで、本発明は、かかる問題を解決するためになされたものであり、その目的は、レーザパワーの最適化を容易に行なうことができる光ディスク装置を提供することである。
【００１１】
【課題を解決するための手段】
この発明によれば、光ディスク装置は、光ディスクにレーザ光を照射し、その反射光を検出する光ピックアップと、記録信号によって変調されたレーザ光を出射するように光ピックアップに含まれる半導体レーザを駆動するレーザ駆動手段と、レーザ光のパワーを調整するための元データを記憶する記憶手段と、元データに基づいて初期化用データまたは評価用データを選択的に生成し、その生成した初期化用データまたは評価用データを記録信号としてレーザ駆動手段へ出力するエンコード手段と、光ピックアップが光ディスクから再生した再生信号をデコードし、再生信号のエラーレートを検出するデコード手段と、制御手段とを備え、制御手段は、レーザ光のパワーを調整するとき、元データを記憶手段から読出してエンコード手段へ与え、元データに基づいて初期化用データを生成するようにエンコード手段を制御する初期化処理を行なう。
【００１２】
また、この発明によれば、光ディスク装置は、光ディスクにレーザ光を照射し、その反射光を検出する光ピックアップと、所定強度のレーザ光を出射するように光ピックアップに含まれる半導体レーザを駆動するレーザ駆動手段と、光ディスクに磁界を印加する磁気ヘッドと、記録信号によって変調された磁界を発生するように磁気ヘッドを駆動する磁気ヘッド駆動手段と、レーザ光のパワーを調整するための元データを記憶する記憶手段と、元データに基づいて初期化用データまたは評価用データを選択的に生成し、その生成した初期化用データまたは評価用データを記録信号として磁気ヘッド駆動手段へ出力するエンコード手段と、光ピックアップが光ディスクから再生した再生信号をデコードし、再生信号のエラーレートを検出するデコード手段と、制御手段とを備え、制御手段は、レーザ光のパワーを調整するとき、元データを記憶手段から読出してエンコード手段へ与え、元データに基づいて初期化用データを生成するようにエンコード手段を制御する初期化処理を行なう。
【００１３】
好ましくは、制御手段は、レーザ光の再生パワーを調整するとき、初期化処理によって初期化用データが光ディスクに記録されると、元データを記憶手段から読出して前記エンコード手段へ与え、元データに基づいて評価用データを生成するようにエンコード手段を制御し、レーザ光のパワーを変化させて光ピックアップが光ディスクから再生した評価用データの再生信号のエラーレートをデコード手段から受け、エラーレートが最小となるパワーをレーザ光の最適再生パワーと決定する再生パワーの最適化処理を行なう。
【００１４】
好ましくは、光ディスクは、ラジアル方向に交互に配置されたランドとグルーブとから成るトラック構造を有し、制御手段は、レーザ光の再生パワーを調整するとき、再生パワーの最適化処理をランドまたはグルーブごとに行なう。
【００１５】
好ましくは、記憶手段は、レーザ光の再生パワーを調整するためのランド用の元データと、レーザ光の再生パワーを調整するためのグルーブ用の元データとを記憶し、制御手段は、ランドにおける再生パワーを調整するとき、ランド用の元データを記憶手段から読出してエンコード手段に与え、グルーブにおける再生パワーを調整するとき、グルーブ用の元データを記憶手段から読出してエンコード手段に与える。
【００１６】
好ましくは、制御手段は、レーザ光の記録パワーを調整するとき、初期化処理によって初期化用データが光ディスクに記録されると、元データを記憶手段から読出してエンコード手段へ与え、元データに基づいて評価用データを生成するようにエンコード手段を制御し、パワーが変化され、かつ、記録信号によって変調されたレーザ光を出射させるようにレーザ駆動手段を制御し、評価用データの再生信号のエラーレートをデコード手段から受け、エラーレートが所定値よりも小さくなる最小の記録パワーと最大の記録パワーとを検出し、最小の記録パワーと最大の記録パワーとの中間値を最適記録パワーと決定する記録パワーの最適化処理を行なう。
【００１７】
好ましくは、制御手段は、レーザ光の記録パワーを調整するとき、初期化処理によって初期化用データが前記光ディスクに記録されると、元データを記憶手段から読出してエンコード手段へ与え、元データに基づいて評価用データを生成するようにエンコード手段を制御し、パワーが変化されたレーザ光を出射させるようにレーザ駆動手段を制御し、評価用データの再生信号のエラーレートをデコード手段から受け、エラーレートが所定値よりも小さくなる最小の記録パワーと最大の記録パワーとを検出し、最小の記録パワーと最大の記録パワーとの中間値を最適記録パワーと決定する記録パワーの最適化処理を行なう。
【００１８】
好ましくは、光ディスクは、ラジアル方向に交互に配置されたランドとグルーブとから成るトラック構造を有し、制御手段は、ランドにおけるレーザ光の記録パワーを調整するとき、調整対象のランドに隣接するグルーブに評価用データが記録されると、調整対象のランドに対して記録パワーの最適化処理を行ない、グルーブにおけるレーザ光の記録パワーを調整するとき、調整対象のグルーブに隣接するランドに評価用データが記録されると、調整対象のグルーブに対して記録パワーの最適化処理を行なう。
【００１９】
好ましくは、ランドにおける記録パワーの最適化処理において、最大の記録パワーは、調整対象のランドに隣接するグルーブから再生された再生信号のエラーレートに基づいて決定され、グルーブにおける記録パワーの最適化処理において、最大の記録パワーは、調整対象のグルーブに隣接するランドから再生された再生信号のエラーレートに基づいて決定される。
【００２０】
好ましくは、記憶手段は、レーザ光のパワーを調整するためのランド用の元データと、レーザ光のパワーを調整するためのグルーブ用の元データとを記憶し、制御手段は、ランドに評価用データを記録するとき、ランド用の元データを記憶手段から読出してエンコード手段に与え、グルーブに評価用データを記録するとき、グルーブ用の元データを記憶手段から読出してエンコード手段に与える。
【００２１】
好ましくは、エンコード手段は、元データに対して所定の方式によるスクランブル処理を行なうことによって評価用データを生成し、元データに対してスクランブル処理をしないことによって初期化用データを生成する。
【００２２】
好ましくは、デコード手段は、再生信号に対してスクランブル処理を解除してデコードを行なうことによって再生信号のエラーレートを求める。
【００２３】
好ましくは、光ディスクは、各々がテスト領域を含み、かつ、ラジアル方向に分割された複数の領域を有し、光ピックアップをラジアル方向に移動させるサーボ手段をさらに備え、制御手段は、レーザ光のパワーを調整するとき、光ピックアップをテスト領域へ移動させるようにサーボ手段を制御する。
【００２４】
【発明の実施の形態】
本発明の実施の形態について図面を参照しながら詳細に説明する。なお、図中同一または相当部分には同一符号を付してその説明は繰返さない。
【００２５】
［実施の形態１］
図１を参照して、本発明による光ディスク装置が信号の記録および／または再生の対象とする光磁気ディスクについて説明する。光磁気ディスク１００は、径方向に同心円状に配置された複数のバンドＢ０〜Ｂ１３を含む。各バンドＢ０〜Ｂ１３は、テスト領域ＴＳＲとデータ領域ＤＲとから成る。テスト領域ＴＳＲは、データ領域ＤＲよりも内周側に設けられる。このテスト領域ＴＳＲは、各バンドＢ０〜Ｂ１３のデータ領域ＤＲにデータを記録および／または再生するためのレーザ光のパワーを最適化するために使用される。
【００２６】
図２は、各バンドＢ０〜Ｂ１３の一部の構造を示す平面図である。グルーブ１およびランド２は、光磁気ディスク１００のラジアル方向ＤＲ１に交互に配置される。また、グルーブ１は、光磁気ディスク１００のタンジェンシャル方向ＤＲ２に４μｍ程度のランド３Ａを含み、ランド２は、タンジェンシャル方向ＤＲ２に４μｍ程度のグルーブ３Ｂを含む。ランド３Ａおよびグルーブ３Ｂは、光磁気ディスク１００のラジアル方向ＤＲ１に隣接して形成され、タンジェンシャル方向ＤＲ２に一定周期で形成される。
【００２７】
なお、ランド３Ａおよびグルーブ３Ｂを「ファインクロックマーク」と言い、光磁気ディスク１００に信号を記録および／または再生するときの基準クロックＣＬＫを生成する元になるものである。また、グルーブ１およびランド２はスパイラル状もしくは同心円状に配されている。
【００２８】
各バンドＢ０〜Ｂ１３には、フレーム単位で信号が記録および／または再生されるため、各バンドＢ０〜Ｂ１３は複数のフレームを含む。すなわち、光磁気ディスク１００には、記録単位であるフレームが等間隔で配置されており、各フレームは３９個のセグメントＳ０，Ｓ１，Ｓ２，…，Ｓ３８によって構成されている。
【００２９】
そして、各セグメントの長さは、５３２ＤＣＢ（Ｄａｔａ  Ｃｈａｎｎｅｌ  Ｂｉｔ）であり、各セグメントの先頭には、データの記録および再生を行なうクロックの位相情報を示すファインクロックマーク（ＦＣＭ：Ｆｉｎｅ  Ｃｌｏｃｋ  Ｍａｒｋ）３Ａ，３Ｂが形成されている。フレームの先頭であるセグメントＳ０には、ファインクロックマーク３Ａ，３Ｂに続いて、光磁気ディスク１００上のアドレスを示すアドレス情報がウォブル４〜９により光磁気ディスク１００の製造時にプリフォーマットされている。
【００３０】
ウォブル４とウォブル５、ウォブル６とウォブル７、およびウォブル８とウォブル９とは、グルーブ１の互いの反対側の壁に形成されており、同じアドレス情報が記録されている。かかるアドレス情報の記録方式を片側スタガ方式と言い、片側スタガ方式を採用することにより光磁気ディスク１００にチルト等が発生し、レーザ光がグルーブ１もしくはランド２の中心からずれた場合にも正確にアドレス情報を検出することができる。
【００３１】
アドレス情報が記録された領域とファインクロックマーク３Ａ，３Ｂが形成された領域はユーザデータを記録する領域としては利用されない。また、セグメントＳｎは、ファインクロックマーク３Ａ，３Ｂとユーザデータｎ−１とにより構成される。
【００３２】
図３を参照して、バンドＢ０〜Ｂ１３の各々は、ｍ個のフレームＦ０〜Ｆｍ−１から成る。フレームの個数は各バンドＢ０〜Ｂ１３によって異なる。また、１つのフレームは、上述したように３９個のセグメントＳ０〜Ｓ３８から成る。図３に示すようなデータフォーマットに従って光磁気ディスク１００に信号が記録および／または再生される。
【００３３】
図４を参照して、セグメントの詳細な構成について説明する。フレームを構成する各セグメントＳ０，Ｓ１，Ｓ２，…，Ｓ３８のうち、セグメントＳ０は光磁気ディスク１００上にプリフォーマットされたアドレスセグメントであり、セグメントＳ１からセグメントＳ３８は、ユーザデータの記録領域として確保されたデータセグメントである。セグメントＳ０は、１２ＤＣＢのファインクロックマーク領域ＦＣＭと５２０ＤＣＢのアドレスとから構成され、セグメントＳ１は、１２ＤＣＢのファインクロックマーク領域ＦＣＭと、４ＤＣＢのプリライトと、５１２ＤＣＢのデータと、４ＤＣＢのポストライトとから構成される。
【００３４】
プリライトは、データの書出しを示すものであり、たとえば、所定のパターン「００１１」から構成され、ポストライトはデータの終わりを示すものであり、たとえば、所定のパターン「１１００」から構成される。
【００３５】
また、セグメントＳ１のユーザデータ領域には、再生時のデータの位置確認、再生クロックの位置補償、レーザパワー調整等を行なうための固定パターンであるヘッダが設けられている。ヘッダに記録する固定パターンは直流成分を抑えたパターンであり、たとえば、２Ｔのドメインを２Ｔの間隔で所定個数形成したものと、８Ｔのドメインを８Ｔの間隔で所定個数形成したものとが記録される。
【００３６】
そして、２Ｔのドメインを再生して得られるアナログ信号のサンプリングのタイミングが、信号の記録に用いる基準クロックの位相を遅延させた再生クロックの位相に一致するように調整することによって位相補償を行ない、２Ｔのドメインと８Ｔのドメインとを再生し、８Ｔのドメインの再生信号強度に対する２Ｔのドメインの再生信号強度の比が５０％以上になるようにレーザパワーの調整を行なう。また、８Ｔのドメインを再生し、再生信号を２値化したディジタル信号の位置が予め予想された８Ｔのドメインのディジタル信号の位置と一致するかを確認することによって再生時の信号の位置確認を行なう。さらに、プリライト、ポストライト、およびヘッダの各パターンは、ユーザデータの記録時にユーザデータと連続して記録される。
【００３７】
セグメントＳ２〜Ｓ３８は、１２ＤＣＢのファインクロックマーク領域ＦＣＭと、４ＤＣＢのプリライトと、５１２ＤＣＢのデータと、４ＤＣＢのポストライトとから構成される。
【００３８】
図５を参照して、光磁気ディスク１００からのアドレス信号ＡＤ、ファインクロックマーク信号ＦＣＭ、および光磁気信号ＲＦの検出について説明する。領域１０および領域３０は、光磁気ディスク１００の製造時にプリフォーマットされるプリフォーマット領域を構成する。領域１０は、ウォブル４〜７とファインクロックマーク３Ａ，３Ｂとが形成される。また、領域３０は、ファインクロックマーク３Ａ，３Ｂが形成される。領域２０は、ユーザデータ領域を構成し、ユーザデータが記録される。
【００３９】
光磁気ディスク１００にレーザ光を照射し、その反射光を検出する光ピックアップ１１０中の光検出器１０２０は、６つの検出領域１０２０Ａ，１０２０Ｂ，１０２０Ｃ，１０２０Ｄ，１０２０Ｅ，１０２０Ｆを有する。領域Ａ１０２０Ａと領域Ｂ１０２０Ｂ、および領域Ｃ１０２０Ｃと領域Ｄ１０２０Ｄは光磁気ディスク１００のタンジェンシャル方向ＤＲ２に配置され、領域Ａ１０２０Ａと領域Ｄ１０２０Ｄ、領域Ｂ１０２０Ｂと領域Ｃ１０２０Ｃ、および領域Ｅ１０２０Ｅと領域Ｆ１０２０Ｆは光磁気ディスク１００のラジアル方向ＤＲ１に配置される。
【００４０】
領域Ａ１０２０Ａ、領域Ｂ１０２０Ｂ、領域Ｃ１０２０Ｃ、および領域Ｄ１０２０Ｄは、それぞれ、光磁気ディスク１００に照射されたレーザ光ＬＢのＡ領域、Ｂ領域、Ｃ領域、およびＤ領域での反射光を検出する。また、領域Ｅ１０２０Ｅ、および領域Ｆ１０２０Ｆは、レーザ光ＬＢのＡ領域、Ｂ領域、Ｃ領域、およびＤ領域の全体で反射されたレーザ光を、光ピックアップ１１０のウォラストンプリズム（図示せず）によって偏光面の異なる２つの方向に回折されたレーザ光を検出する。
【００４１】
ユーザデータ領域である領域２０に記録された光磁気信号の再生信号ＲＦは、光検出器１０２０の領域Ｅ１０２０Ｅで検出されたレーザ光強度［Ｅ］と領域Ｆ１０２０Ｆで検出されたレーザ光強度［Ｆ］との差を演算することによって検出される。すなわち、回路４０の減算器４００は、領域Ｅ１０２０Ｅで検出されたレーザ光強度［Ｅ］と領域Ｆ１０２０Ｆで検出されたレーザ光強度［Ｆ］との差分を演算し、再生信号ＲＦ＝［Ｅ］−［Ｆ］を出力する。
【００４２】
プリフォーマット領域を構成する領域１０のウォブル４〜７によって記録されたアドレス情報の再生信号は、ラジアルプッシュプル法によって検出され、領域Ａ１０２０Ａで検出されたレーザ光強度［Ａ］と領域Ｂ１０２０Ｂで検出されたレーザ光強度［Ｂ］との和から領域Ｃ１０２０Ｃで検出されたレーザ光強度［Ｃ］と領域Ｄ１０２０Ｄで検出されたレーザ光強度［Ｄ］との和を減じたものとして検出される。すなわち、アドレス信号ＡＤは、回路５０を構成する加算器５００，５０１と減算器５０２とによって検出される。加算器５００は、領域Ａ１０２０Ａで検出されたレーザ光強度［Ａ］と領域Ｂ１０２０Ｂで検出されたレーザ光強度［Ｂ］とを加算した［Ａ＋Ｂ］を出力する。加算器５０１は、領域Ｃ１０２０Ｃで検出されたレーザ光強度［Ｃ］と領域Ｄ１０２０Ｄで検出されたレーザ光強度［Ｄ］とを加算した［Ｃ＋Ｄ］を出力する。そして、減算器５０２は、加算器５００の出力［Ａ＋Ｂ］から加算器５０１の出力［Ｃ＋Ｄ］を減算してアドレス信号ＡＤ＝［Ａ＋Ｂ］−［Ｃ＋Ｄ］を出力する。
【００４３】
また、プリフォーマット領域を構成する領域３０のファインクロックマーク３Ａ，３Ｂは、タンジェンシャルプッシュプル法により検出され、領域Ａ１０２０Ａで検出されたレーザ光強度［Ａ］と領域Ｄ１０２０Ｄで検出されたレーザ光強度［Ｄ］との和から領域Ｂ１０２０Ｂで検出されたレーザ光強度［Ｂ］と領域Ｃ１０２０Ｃで検出されたレーザ光強度［Ｃ］との和を減じたものとして検出される。すなわち、ファインクロックマーク３Ａ，３Ｂは、回路５０を構成する加算器５０３，５０４と減算器５０５とによって検出される。加算器５０３は、領域Ａ１０２０Ａで検出されたレーザ光強度［Ａ］と領域Ｄ１０２０Ｄで検出されたレーザ光強度［Ｄ］とを加算した［Ａ＋Ｄ］を出力する。加算器５０４は、領域Ｂ１０２０Ｂで検出されたレーザ光強度［Ｂ］と領域Ｃ１０２０Ｃで検出されたレーザ光強度［Ｃ］とを加算した［Ｂ＋Ｃ］を出力する。そして、減算器５０５は、加算器５０３の出力［Ａ＋Ｄ］から加算器５０４の出力［Ｂ＋Ｃ］を減算してファインクロックマーク信号ＦＣＭ＝［Ａ＋Ｄ］−［Ｂ＋Ｃ］を出力する。
【００４４】
図６を参照して、実施の形態１による光ディスク装置２００は、光ピックアップ１１０と、アナログ信号処理手段１２０と、サーボ手段１３０と、モータドライバ１４０と、スピンドルモータ１５０と、アドレス検出回路１６０と、ＭＰＵ１７０と、デジタル信号処理手段１８０と、ＲＡＭ１９０と、インタフェース２１０と、磁気ヘッド駆動手段２２０と、レーザドライバ２３０と、磁気ヘッド２４０とを備える。デジタル信号処理手段１８０は、ＥＣＣエンコーダ１８１とＥＣＣデコーダ１８２とを含む。
【００４５】
光ピックアップ１１０は、光磁気ディスク１００にレーザ光を照射し、その反射光を検出する。アナログ信号処理手段１２０は、光ピックアップ１１０が検出したトラッキングエラー信号、フォーカスエラー信号、ファインクロックマーク信号および光磁気信号を受ける。そして、アナログ信号処理手段１２０は、トラッキングエラー信号、フォーカスエラー信号およびファインクロックマーク信号を増幅してサーボ手段１３０へ出力する。また、アナログ信号処理手段１２０は、光磁気信号の高域および低域をカットし、光磁気信号をアナログ信号からデジタル信号に変換してＥＣＣデコーダ１８２へ出力する。
【００４６】
サーボ手段１３０は、アナログ信号処理手段１２０から入力されたトラッキングエラー信号およびフォーカスエラー信号に基づいて光ピックアップ１１０に含まれる対物レンズ（図示せず）のトラッキングサーボおよびフォーカスサーボを行なう。また、サーボ手段１３０は、アナログ信号処理手段１２０から入力されたファインクロックマーク信号に同期してスピンドルモータ１５０を回転させるようにモータドライバ１４０を制御する。さらに、サーボ手段１３０は、ＭＰＵ１７０からの制御に基づいて、光ピックアップ１１０を光磁気ディスク１００のラジアル方向ＤＲ１に移動させる。
【００４７】
モータドライバ１４０は、サーボ手段１３０からの制御に基づいて、スピンドルモータ１５０をファインクロックマーク信号に同期して所定の回転数で回転させる。スピンドルモータ１５０は、光磁気ディスク１００を所定の回転数で回転させる。
【００４８】
アドレス検出回路１６０は、光ピックアップ１１０が検出したアドレス信号ＡＤに基づいてアドレスを検出し、その検出したアドレスをＭＰＵ１７０へ出力する。ＭＰＵ１７０は、レーザ光のパワーを調整するとき、ＲＡＭ１９０に格納された元データを読出してＥＣＣエンコーダ１８１へ与える。そして、ＭＰＵ１７０は、後述する方法によって元データに基づいて初期化用データと評価用データとを生成するようにＥＣＣエンコーダ１８１を制御する。また、ＭＰＵ１７０は、ＥＣＣデコーダ１８２から再生信号のエラーレートを受け、その受けたエラーレートに基づいて最適再生パワーまたは最適記録パワーを決定する。その他、ＭＰＵ１７０は、サーボ手段１３０、インタフェース２１０、およびレーザドライバ２３０を制御する。
【００４９】
ＥＣＣエンコーダ１８１は、ＭＰＵ１７０によって与えられた元データに対して、ＭＰＵ１７０からの制御に基づいてスクランブル処理または非スクランブル処理を行なう。そして、ＥＣＣエンコーダ１８１は、スクランブル処理を行なったデータまたはスクランブル処理を行なわなかったデータを所定の方式にエンコードして磁気ヘッド駆動手段２２０へ出力する。ＥＣＣデコーダ１８２は、ＭＰＵ１７０からの制御に基づいて、再生信号に対してスクランブル解除を行なってデコードし、またはスクランブル解除を行なわずにデコードしてインタフェース２１０を介して再生データを出力する。
【００５０】
ＲＡＭ１９０は、各種のデータを記憶する。インタフェース２１０は、ＭＰＵ１７０からの制御に基づいて記録データをＥＣＣエンコーダ１８１へ出力し、ＥＣＣデコーダ１８２からの再生データを外部へ出力する。
【００５１】
磁気ヘッド駆動手段２２０は、ＥＣＣエンコーダ１８１からの記録信号に基づいて磁気ヘッド２４０を駆動する。レーザドライバ２３０は、ＭＰＵ１７０からの制御に基づいて、光ピックアップ１１０に含まれる半導体レーザ（図示せず）を駆動する。磁気ヘッド２４０は、磁界を光磁気ディスク１００に印加する。
【００５２】
図７を参照して、ＥＣＣエンコーダ１８１は、スクランブル回路１８１０と、エンコーダ１８２１とを含む。スクランブル回路１８１０は、入力されたデータに対して後述する方法によってスクランブル処理を行ない、その結果をエンコーダ１８２１へ出力する。ＭＰＵ１７０は、元データに対してスクランブル処理を行なわないとき、ＲＡＭ１９０から読出した元データをエンコーダ１８２１に与える。エンコーダ１８２１は、スクランブル回路１８１０から入力されたデータ、またはＭＰＵ１７０によって与えられた元データ、またはインタフェース２１０から入力されたデータを所定の方式にエンコードし、そのエンコードした結果である記録信号を磁気ヘッド駆動手段２２０へ出力する。
【００５３】
図８〜図１０を参照して、スクランブル回路１８１０におけるスクランブル処理の方法について詳細に説明する。図８を参照して、スクランブル回路１８１０は、シフトレジスタ１８１１と、ＥＸ−ＯＲゲート１８１２〜１８２０とから成る。シフトレジスタ１８１１は、１５段のカウンタから構成され、入力信号をシフトして出力信号ｒ０〜ｒ１４を出力する。スクランブル回路１８１０においては、出力信号ｒ０〜ｒ７から成るデータＳｋがスクランブルされたデータを生成するために用いられる。そして、シフトレジスタ１８１１は、８ビットシフトするごとにスクランブルされたデータを生成するために出力信号ｒ０〜ｒ７を出力する。ＥＸ−ＯＲゲート１８１２は、シフトレジスタ１８１１から出力された出力信号ｒ１０と出力信号ｒ１４との排他的論理和を演算し、その演算結果を初段のカウンタへ入力する。
【００５４】
データＤｋは、ＭＰＵ１７０によってＲＡＭ１９０から読出されて与えられるデータであり、Ｄｋ０〜Ｄｋ７の８ビットから成る。ＥＸ−ＯＲゲート１８１３は、シフトレジスタ１８１１からの出力信号ｒ０とデータＤｋ０との排他的論理和を演算し、その演算結果をＤ’ｋ０として出力する。ＥＸ−ＯＲゲート１８１４は、シフトレジスタ１８１１からの出力信号ｒ１とデータＤｋ１との排他的論理和を演算し、その演算結果をＤ’ｋ１として出力する。ＥＸ−ＯＲゲート１８１５は、シフトレジスタ１８１１からの出力信号ｒ２とデータＤｋ２との排他的論理和を演算し、その演算結果をＤ’ｋ２として出力する。ＥＸ−ＯＲゲート１８１６は、シフトレジスタ１８１１からの出力信号ｒ３とデータＤｋ３との排他的論理和を演算し、その演算結果をＤ’ｋ３として出力する。ＥＸ−ＯＲゲート１８１７は、シフトレジスタ１８１１からの出力信号ｒ４とデータＤｋ４との排他的論理和を演算し、その演算結果をＤ’ｋ４として出力する。ＥＸ−ＯＲゲート１８１８は、シフトレジスタ１８１１からの出力信号ｒ５とデータＤｋ５との排他的論理和を演算し、その演算結果をＤ’ｋ５として出力する。ＥＸ−ＯＲゲート１８１９は、シフトレジスタ１８１１からの出力信号ｒ６とデータＤｋ６との排他的論理和を演算し、その演算結果をＤ’ｋ６として出力する。ＥＸ−ＯＲゲート１８２０は、シフトレジスタ１８１１からの出力信号ｒ７とデータＤｋ７との排他的論理和を演算し、その演算結果をＤ’ｋ７として出力する。そして、データＤ’ｋ０〜Ｄ’ｋ７から成るデータＤ’ｋがスクランブルされたデータとして用いられる。
【００５５】
ＲＡＭ１９０は、図９の（ａ）に示す昇順に配列された元データを記憶する。ＭＰＵ１７０は、元データＤｋをＲＡＭ１９０から読出し、その読出した元データをスクランブル回路１８１０へ与えると、００ｈ，００ｈ，００ｈ，０１ｈ，００ｈ，０２ｈ，・・・の順で元データがスクランブル回路１８１０に入力される。００ｈ，０１ｈ，および０２ｈ等は、通常のビット形式においては、それぞれ、［００００００００］、［０００００００１］、および［００００００１０］等になる。したがって、最初の元データである［００ｈ］がスクランブル回路１８１０に入力されると、ＥＸ−ＯＲゲート１８１３〜１８２０は、それぞれ、Ｄｋ０〜Ｄｋ７として［０］が入力される。
【００５６】
図１０を参照して、シフトレジスタ１８１１は、入力信号として初期値［０００１ｈ］、［５５００ｈ］、および［０００２ｈ］等が入力される。光磁気ディスク１００へ信号を記録する単位は、１ＥＣＣブロックである。この１ＥＣＣブロックは、上述したフレームが１６個集まって構成される。したがって、元データをスクランブルするときもＥＣＣブロック単位で元データをスクランブルする。この場合、最初の１ＥＣＣブロックに対してスクランブルされたデータを生成するとき、初期プリセット番号（０ｈ）に対応する初期値［０００１ｈ］がシフトレジスタ１８１１への入力信号として用いられる。次の１ＥＣＣブロックに対してスクランブルされたデータを生成するとき、初期プリセット番号（１ｈ）に対応する初期値［５５００ｈ］がシフトレジスタ１８１１への入力信号として用いられる。以下、同様にして初期値［０００２ｈ］，［２Ａ００ｈ］，［０００４ｈ］，・・・がシフトレジスタ１８１１への入力信号として用いられる。
【００５７】
再び、図８を参照して、初期値［０００１ｈ］が入力信号としてシフトレジスタ１８１１へ入力されたとき、シフトレジスタ１８１１は、ｒ０＝１，ｒ１〜ｒ７＝０を出力する。初期値［０００１ｈ］は通常のビット形式においては［０００００００００００００００１］になるからである。スクランブル回路１８１０に入力される最初の元データは、［００ｈ］＝［００００００００］であるので、ＥＸ−ＯＲゲート１８１３は、［１］と［０］との排他的論理和を演算して［１］を出力する。ＥＸ−ＯＲゲート１８１４〜１８２０は、［０］と［０］との排他的論理和を演算して［０］を出力する。すなわち、Ｄ’ｋ０＝１，Ｄ’ｋ１〜Ｄ’ｋ７＝０となり、［０００００００１］がスクランブルされたデータとして出力される。データ［０００００００１］を元データ［００ｈ］と同じ形式で表現すると［０１ｈ］になる。
【００５８】
シフトレジスタ１８１１において、８ビットシフトした後に、２番目の元データ［００ｈ］に対して同様の演算を行なうとスクランブルされたデータとして［００ｈ］が出力される。以下、同様な演算を繰返すことによってスクランブルされたデータとして図９の（ｂ）のデータがスクランブル回路１８１０から出力される。
【００５９】
上述した方法によってスクランブル回路１８１０は、元データに対してスクランブル処理を行ない、その結果をエンコーダ１８２１へ出力する。
【００６０】
図１１を参照して、ＥＣＣデコーダ１８２は、スクランブル解除回路１８２２と、デコーダ１８２３とを含む。スクランブル解除回路１８２２は、アナログ信号処理手段１２０から入力された再生信号に対して、上述したスクランブル処理を解除する処理を行ない、その結果をデコーダ１８２３へ出力する。デコーダ１８２３は、アナログ信号処理手段１２０またはスクランブル解除回路１８２２から入力された再生信号をデコードし、そのデコードした再生信号をインタフェース２１０へ出力する。また、デコーダ１８２３は、再生信号をデコードした際のエラーレートをＭＰＵ１７０へ出力する。なお、ＭＰＵ１７０は、レーザパワーを調整するとき、アナログ信号処理手段１２０からの再生信号をスクランブル解除回路１８２２へ与え、通常動作時、アナログ信号処理手段１２０からの再生信号をデコーダ１８２３へ与える。スクランブル処理が行なわれなかったデータの再生信号をスクランブル解除回路１８２２に与えたとき、デコーダ１８２３は、エラー率が１００％の再生データを出力する。したがって、元データに対してスクランブル処理を行なわないで生成したデータを初期化用データとし、元データに対してスクランブル処理を行なって生成したデータを評価用データとして用いることによって、評価用データのみに基づいてレーザ光のパワー調整を行なうことができる。
【００６１】
図１２を参照して、光ディスク装置２００におけるレーザ光の再生パワーの最適化について説明する。再生パワーの最適化が開始されると、ＭＰＵ１７０は、評価用データがＲＡＭ１９０に格納されているか否かを判定し（ステップＳ１０）、評価用データがＲＡＭ１９０に格納されているときステップＳ２０へ移行し、初期化処理が行なわれる。なお、データがＲＡＭ１９０に格納されていることを「データをＲＡＭ１９０に展開中」とも言う。評価用データがＲＡＭ１９０に格納されていないとき、ＭＰＵ１７０は、ランド用の元データをＲＡＭ１９０に格納する（ステップＳ１１）。次いで、ＭＰＵ１７０は、グルーブ用の元データをＲＡＭ１９０に格納する（ステップＳ１２）。つまり、ＭＰＵ１７０は、レーザ光のパワー調整を行なうときは、自らが保持するランド用の元データとグルーブ用の元データとをＲＡＭ１９０に格納する。そして、ＭＰＵ１７０は、サーボ手段１３０を制御して、光ピックアップ１１０および磁気ヘッド２４０を目的のテスト領域ＴＳＲへシークさせる。通常、磁気ヘッド２４０は、光ピックアップ１１０の基体に固定されているため、光ピックアップ１１０をシークさせれば、磁気ヘッド２４０もそれに従ってシークされる。
【００６２】
ステップＳ１０において、評価用データがＲＡＭ１９０に格納されているとき、またはステップＳ１２の後、初期化処理（ステップＳ２０）および評価用データの記録処理（ステップＳ３０）が行なわれる。
【００６３】
図１３を参照して、初期化処理（ステップＳ２０）について説明する。ＭＰＵ１７０は、レーザ光の記録パワーを所定の記録パワーに設定するようにレーザドライバ２３０を制御する。そして、レーザドライバ２３０は、所定の記録パワーを有するレーザ光を発生するように光ピックアップ１１０に含まれる半導体レーザ（図示せず）を駆動する。これにより、記録レーザパワーの設定が終了する（ステップＳ２００）。この場合、ＭＰＵ１７０は、前回、記録した信号の影響を確実に消去するため、大き目の記録パワーを設定する。大き目の記録パワーとは、光磁気ディスク１００の製造者が推奨する記録パワーよりも大きいパワーである。ＭＰＵ１７０は、アドレス検出回路１６０から入力されたアドレス値に基づいて光ピックアップ１１０および磁気ヘッド２４０がテスト領域ＴＳＲの先頭アドレスの位置に到達したか否かを判定する（ステップＳ２０１）。光ピックアップ１１０および磁気ヘッド２４０が先頭アドレスの位置に到達していないとき、ＭＰＵ１７０は、目的アドレスへアクセスするようにサーボ手段１３０を制御する（ステップＳ２０２）。
【００６４】
ステップＳ２０１において、光ピックアップ１１０および磁気ヘッド２４０が先頭アドレスの位置に到達したとき、ＭＰＵ１７０は、スクランブル処理を行なわないようにＥＣＣエンコーダ１８１を制御し（ステップＳ２０３）、ＲＡＭ１９０に格納されたランド用の元データを読出してＥＣＣエンコーダ１８１に与える（ステップＳ２０４）。そして、ＥＣＣエンコーダ１８１は、ランド用の元データに対してスクランブル処理を行なわないでエンコードし（ステップＳ２０５）、初期化用データを磁気ヘッド駆動手段２２０へ出力する。磁気ヘッド駆動手段２２０は、入力された初期化用データに基づいて磁気ヘッド２４０を駆動し、磁気ヘッド２４０は、初期化用データによって変調された磁界を光磁気ディスク１００に印加する。これによって、初期化用データが光磁気ディスク１００のランド２に記録され、前回、記録された信号の影響は消去される。
【００６５】
そして、ＭＰＵ１７０は、設定したブロック数分だけ初期化用データが記録されたか否かを判定し（ステップＳ２０６）、設定したブロック数分だけ初期化用データの記録が完了すると、初期化処理が終了する。
【００６６】
図１４を参照して、評価用データの記録処理（ステップＳ３０）について説明する。ＭＰＵ１７０は、レーザ光の記録パワーを所定の記録パワーに設定するようにレーザドライバ２３０を制御する。そして、レーザドライバ２３０は、所定の記録パワーを有するレーザ光を発生するように光ピックアップ１１０に含まれる半導体レーザ（図示せず）を駆動する。これにより、記録レーザパワーの設定が終了する（ステップＳ３００）。この場合、ＭＰＵ１７０は、レーザ光のパワーを光磁気ディスク１００の製造者が推奨する最適記録パワーよりも大きいパワーに設定するようにレーザドライバ２３０を制御する。ＭＰＵ１７０は、アドレス検出回路１６０から入力されたアドレス値に基づいて光ピックアップ１１０および磁気ヘッド２４０がテスト領域ＴＳＲの先頭アドレスの位置に到達したか否かを判定する（ステップＳ３０１）。光ピックアップ１１０および磁気ヘッド２４０が先頭アドレスの位置に到達していないとき、ＭＰＵ１７０は、目的アドレスへアクセスするようにサーボ手段１３０を制御する（ステップＳ３０２）。
【００６７】
ステップＳ３０１において、光ピックアップ１１０および磁気ヘッド２４０が先頭アドレスの位置に到達したとき、ＭＰＵ１７０は、スクランブル処理を行なうようにＥＣＣエンコーダ１８１を制御し（ステップＳ３０３）、ＲＡＭ１９０に格納されたランド用の元データを読出してＥＣＣエンコーダ１８１に与える（ステップＳ３０４）。そして、ＥＣＣエンコーダ１８１は、ランド用の元データに対して上述した方法によってスクランブル処理を行ない、そのスクランブル処理を行なったデータをエンコードして評価用データを磁気ヘッド駆動手段２２０へ出力する（ステップＳ３０５）。磁気ヘッド駆動手段２２０は、入力された評価用データに基づいて磁気ヘッド２４０を駆動し、磁気ヘッド２４０は、評価用データによって変調された磁界を光磁気ディスク１００に印加する。これによって、評価用データが光磁気ディスク１００のランド２に記録される。
【００６８】
そして、ＭＰＵ１７０は、設定したブロック数分だけ評価用データが記録されたか否かを判定し（ステップＳ３０６）、設定したブロック数分だけ評価用データの記録が完了すると、評価用データの記録処理が終了する。
【００６９】
再び、図１２を参照して、評価用データの記録処理（ステップＳ３０）が終了すると、ＭＰＵ１７０は、再生レーザパワーを最小のパワーに設定するようにレーザドライバ２３０を制御する。そして、レーザドライバ２３０は、最小のパワーを有するレーザ光を発生するように光ピックアップ１１０に含まれる半導体レーザ（図示せず）を駆動する。これによって、レーザ光のパワーが最小に設定される（ステップＳ１３）。また、ＭＰＵ１７０は、評価用データを記録したテスト領域ＴＳＲの先頭へ光ピックアップ１１０および磁気ヘッド２４０をシークさせるようにサーボ手段１３０を制御し、サーボ手段１３０は、光ピックアップ１１０および磁気ヘッド２４０をテスト領域ＴＳＲの先頭へシークさせる。そして、ＭＰＵ１７０は、アドレス検出回路１６０から入力されたアドレス値に基づいて、光ピックアップ１１０および磁気ヘッド２４０がテスト領域ＴＳＲの先頭へシークされたか否かを判定し（ステップＳ１４）、光ピックアップ１１０および磁気ヘッド２４０がテスト領域ＴＳＲの先頭へシークされていなければ、テスト領域ＴＳＲの先頭へ光ピックアップ１１０および磁気ヘッド２４０をシークさせる（ステップＳ１５）。
【００７０】
光ピックアップ１１０および磁気ヘッド２４０がテスト領域ＴＳＲの先頭へシークされると、ＭＰＵ１７０は、スクランブル解除の処理を行なうようにＥＣＣデコーダ１８２を制御する（ステップＳ１６）。光ピックアップ１１０は、光磁気ディスク１００から検出した評価用データの再生信号をアナログ信号処理手段１２０へ出力し、アナログ信号処理手段１２０は、再生信号の高域と低域とをカットし、再生信号をアナログ信号からデジタル信号に変換してＥＣＣデコーダ１８２のデコーダ１８２３へ出力する。そして、デコーダ１８２３は、入力された再生信号をデコードし（ステップＳ１７）、その結果をスクランブル解除回路１８２２へ出力する。また、デコーダ１８２３は、再生信号のエラーレートを検出してＭＰＵ１７０へ出力する（ステップＳ１８）。スクランブル解除回路１８２２は、入力された再生信号に対してスクランブルを解除する処理を行なう。
【００７１】
その後、ＭＰＵ１７０は、レーザ光のパワーを変化させるようにレーザドライバ２３０を制御し、レーザドライバ２３０は、レーザ光のパワーを変化させて光ピックアップ１１０に含まれる半導体レーザ（図示せず）を駆動する。これによって、レーザ光のパワーを変化させて評価用データが光磁気ディスク１００のテスト領域ＴＳＲから再生される（ステップＳ１９）。そして、デコーダ１８２３は、エラーレートを検出し（ステップＳ２０）、その検出したエラーレートをＭＰＵ１７０へ出力する。
【００７２】
ＭＰＵ１７０は、デコーダ１８２３から入力されたエラーレートに基づいて、再生信号のエラーレートと再生パワーとの関係を作成し、再生信号のエラーレートが最小となる再生パワーを最適再生レーザパワーと決定する（ステップＳ２１）。そして、再生パワーを調整する動作が終了する。
【００７３】
図１５および図１６を参照して、光ディスク装置２００におけるレーザ光の記録パワーの最適化について説明する。図１５を参照して、記録パワーの最適化が開始されると、ランドエリアの初期化（ステップＳ１００）およびグルーブエリアの初期化（ステップＳ１０１）が行なわれる。このランドエリアの初期化およびグルーブエリアの初期化は、図１３に示すフローチャートに従って行なわれる。つまり、テスト領域ＴＳＲのランド２およびグルーブ１に初期化用データが記録され、以前に記録された信号の影響が消去される。この場合、ランド２の初期化用データは、ランド２用の元データに対してスクランブル処理を行なわずに生成され、グルーブ１の初期化用データは、グルーブ１用の元データに対してスクランブル処理を行なわずに生成される。
【００７４】
その後、ＭＰＵ１７０は、アドレス検出回路１６０からのアドレス値に基づいて、光ピックアップ１１０および磁気ヘッド２４０をテスト領域ＴＳＲの先頭までシークさせる。そして、グルーブ１に評価用データが記録される（ステップＳ１０２）。このグルーブ１への評価用データの記録は、図１４に示すフローチャートに従って行なわれる。この場合、レーザ光の記録パワーは、光磁気ディスク１００の製造者が推奨する最適記録パワーよりも大きい記録パワーが用いられる。つまり、評価用データの再生信号のエラーレートが所定値（たとえば、１０-4）よりも小さくなる記録パワーである。その後、ＭＰＵ１７０は、レーザ光の記録パワーを最小に設定するようにレーザドライバ２３０を制御し、レーザドライバ２３０は、最小の記録パワーを有するレーザ光を発生するように光ピックアップ１１０に含まれる半導体レーザ（図示せず）を駆動する。これによって、レーザ光の記録パワーが最小に設定される（ステップＳ１０３）。なお、最小の記録パワーとは、光磁気ディスク１００の製造者が推奨する記録パワーの範囲における最小値を言う。そして、この記録パワーの範囲は、光磁気ディスク１００のＴＯＣ（Ｔａｂｌｅ  Ｏｆ  Ｃｏｎｔｅｎｔ）に記録されている。
【００７５】
そして、ＭＰＵ１７０は、光ピックアップ１１０および磁気ヘッド２４０をランド２へアクセスさせるようにサーボ手段１３０を制御する。サーボ手段１３０は、光ピックアップ１１０および磁気ヘッド２４０をランド２へアクセスさせる（Ｓ１０４）。光ピックアップ１１０および磁気ヘッド２４０がランド２へアクセスすると、ランド２に評価用データが記録される（ステップＳ１０５）。このランド２への評価用データの記録は、図１４に示すフローチャートに従って行なわれる。ランド２への評価用データの記録が終了すると、ＭＰＵ１７０は、アドレス検出回路１６０からのアドレス値に基づいて光ピックアップ１１０が先頭アドレスの位置へ移動されたか否かを判定する（ステップＳ１０６）。光ピックアップ１１０が先頭アドレスの位置へ移動されていない場合、ＭＰＵ１７０は、光ピックアップ１１０を目的アドレスの位置へ移動させるようにサーボ手段１３０を制御し、サーボ手段１３０は、光ピックアップ１１０を目的アドレスの位置へ移動させる（ステップＳ１０７）。光ピックアップ１１０が目的アドレスの位置へ移動されると、光ピックアップ１１０は、上述した最適化された再生パワーを用いてランド２から評価用データを再生する。そして、ＭＰＵ１７０は、スクランブル処理を解除する処理を行なうようにＥＣＣデコーダ１８２を制御し（ステップＳ１０８）、ＥＣＣデコーダ１８２は、アナログ信号処理手段１２０から入力された評価用データの再生信号に対してスクランブルを解除する処理を行ない、スクランブルが解除されたデータをデコードする（ステップＳ１０９）。その後、ＥＣＣデコーダ１８２は、再生信号のエラーレートを検出し（ステップＳ１１０）、その検出したエラーレートをＭＰＵ１７０へ出力する。
【００７６】
そうすると、ＭＰＵ１７０は、入力されたエラーレートが所定値（たとえば、１０-4）よりも小さいか否かを判定し（ステップＳ１１１）、エラーレートが所定値よりも大きいとき、記録パワーを大きくするようにレーザドライバ２３０を制御する。レーザドライバ２３０は、記録パワーを大きくして半導体レーザ（図示せず）を駆動する。これによって、記録パワーが大きくされる（ステップＳ１１２）。その後、再生信号のエラーレートが所定値よりも小さくなるまでステップＳ１０４〜Ｓ１１１が繰返される。そして、ＭＰＵ１７０は、ステップＳ１１１において、エラーレートが所定値よりも小さくなったときのレーザ光のパワーを最小の記録パワーと決定する（ステップＳ１１３）。
【００７７】
図１６を参照して、ステップＳ１１３の後、ＭＰＵ１７０は、記録パワーを大きくするようにレーザドライバ２３０を制御し、レーザドライバ２３０は、記録パワーを大きくして半導体レーザ（図示せず）を駆動する。これによって、記録パワーが大きくされる（ステップＳ１１４）。そして、ＭＰＵ１７０は、光ピックアップ１１０および磁気ヘッド２４０をテスト領域ＴＳＲの先頭のランド２へアクセスさせるようにサーボ手段１３０を制御し、サーボ手段１３０は、光ピックアップ１１０および磁気ヘッド２４０をテスト領域ＴＳＲの先頭のランド２へアクセスさせる（ステップＳ１１５）。その後、ランド２に評価用データが記録パワーを大きくして記録される（ステップＳ１１６）。このランド２への評価用データの記録は、図１４に示すフローチャートに従って行なわれる。
【００７８】
ランド２への評価用データの記録が終了すると、ＭＰＵ１７０は、アドレス検出回路１６０からのアドレス値に基づいて、光ピックアップ１１０がランド２に隣接するグルーブ１上の目的アドレスの位置へ移動されたか否かを判定する（ステップＳ１１７）。光ピックアップ１１０が目的アドレスの位置へ移動されていない場合、ＭＰＵ１７０は、光ピックアップ１１０を目的アドレスの位置へ移動させるようにサーボ手段１３０を制御し、サーボ手段１３０は、光ピックアップ１１０を目的アドレスの位置へ移動させる（ステップＳ１１８）。光ピックアップ１１０が目的アドレスの位置へ移動されると、光ピックアップ１１０は、上述した最適化された再生パワーを用いてグルーブ１から評価用データ（ステップＳ１０２において記録された評価用データ）を再生する。そして、ＭＰＵ１７０は、スクランブル処理を解除する処理を行なうようにＥＣＣデコーダ１８２を制御し（ステップＳ１１９）、ＥＣＣデコーダ１８２は、アナログ信号処理手段１２０から入力された評価用データの再生信号に対してスクランブルを解除する処理を行ない、スクランブルが解除されたデータをデコードする（ステップＳ１２０）。その後、ＥＣＣデコーダ１８２は、再生信号のエラーレートを検出し（ステップＳ１２１）、その検出したエラーレートをＭＰＵ１７０へ出力する。
【００７９】
そうすると、ＭＰＵ１７０は、入力されたエラーレートが所定値よりも小さいか否かを判定し（ステップＳ１２２）、エラーレートが所定値よりも小さいとき、記録パワーを大きくするようにレーザドライバ２３０を制御する。レーザドライバ２３０は、記録パワーを大きくして半導体レーザ（図示せず）を駆動する。これによって、記録パワーが大きくされる（ステップＳ１２３）。その後、再生信号のエラーレートが所定値よりも大きくなるまでステップＳ１１５〜Ｓ１２２が繰返される。そして、ＭＰＵ１７０は、ステップＳ１２２において、エラーレートが所定値よりも大きくなったときのレーザ光のパワーよりも１つ前のパワーを最大の記録パワーと決定する（ステップＳ１２４）。そして、ＭＰＵ１７０は、ステップＳ１１３において決定した最小の記録パワーとステップＳ１２４において決定した最大の記録パワーとの中間値を最適記録パワーと決定し（ステップＳ１２５）、ランド２における記録パワーの最適化が終了する。
【００８０】
ランド２における記録パワーの最適化が終了した後、グルーブ１における記録パワーの最適化が行なわれる。その場合、図１５および図１６において、ランドとグルーブとを入替えたフローチャートに従って記録パワーの最適化が行なわれる。
【００８１】
このように、本発明においては、評価用データがグルーブ（またはランド）に記録され、そのグルーブ（またはランド）に隣接するランド（またはグルーブ）に記録パワーを変化させながら評価用データが記録され、評価用データの再生信号のエラーレートが所定値よりも小さくなる最小の記録パワーと最大の記録パワーとが決定される。そして、決定された最小の記録パワーと最大の記録パワーとの中間値が最適記録パワーとして決定される。
【００８２】
最大の記録パワーを決定するとき、レーザ光のパワーを調整する対象となるランド（またはグルーブ）に評価用データを記録し、そのランド（またはグルーブ）に隣接するグルーブ（またはランド）にすでに記録されていた評価用データを再生して再生信号のエラーレートを評価するのは、レーザ光の記録パワーが大きくなるに従って隣接するグルーブ（またはランド）に記録されたデータに影響を与える度合いが大きくなるからである。つまり、パワー調整の対象となるランド（またはグルーブ）から再生した再生信号のエラーレートが所定値よりも小さくても、そのランド（またはグルーブ）に隣接するグルーブ（またはランド）から再生した再生信号のエラーレートが所定値よりも大きくなると、記録パワーとしては適さないからである。したがって、隣接するグルーブ（またはランド）に悪影響を与えない範囲で最大の記録パワーを決定する必要があるからである。なお、最小の記録パワーを決定するときは、このような問題が生じないので、パワー調整の対象となるランド（またはグルーブ）から評価用データを再生すればよい。
【００８３】
上述した再生パワーの最適化および記録パワーの最適化は、光ディスク装置２００の電源がオンされたとき、または再生中にデコードエラーが生じてＭＰＵ１７０がレーザ光のパワーが最適化されていないと判定したときに行なわれる。そして、電源投入時のパワー調整は、予め決められた領域において行なわれ、動作中は、アクセスしているバンドＢ０〜Ｂ１３に設けられたテスト領域ＴＳＲにおいて行なわれる。
【００８４】
再び、図６を参照して、光ディスク装置２００における信号の記録動作および再生動作について説明する。まず、信号の記録動作について説明する。光磁気ディスク１００が光ディスク装置２００に装着されると、ＭＰＵ１７０は、スピンドルモータ１５０を所定の回転数で回転させ、光ピックアップ１１０を所定の位置へアクセスさせるようにサーボ手段１３０を制御し、所定強度のレーザ光を発生させるようにレーザドライバ２３０を制御する。サーボ手段１３０は、スピンドルモータ１５０を所定の回転数で回転させるようにモータドライバ１４０を制御し、光ピックアップ１１０を所定の位置へアクセスさせる。また、レーザドライバ２３０は、所定強度のレーザ光を発生するように光ピックアップ１１０に含まれる半導体レーザ（図示せず）を駆動する。その後、光ピックアップ１１０が検出したトラッキングエラー信号およびフォーカスエラー信号に基づいて光ピックアップ１１０に含まれる対物レンズ（図示せず）のトラッキングサーボおよびフォーカスサーボが行なわれる。また、光ピックアップ１１０が検出したファインクロックマーク信号ＦＣＭに同期してスピンドルモータ１５０が回転される。
【００８５】
そして、上述した再生パワーの最適化および記録パワーの最適化が行なわれる。レーザ光のパワー調整が終了すると、パーソナルコンピュータ等のホストから記録データが入力されるので、ＭＰＵ１７０は、記録データをＲＡＭ１９０へ格納するようにインタフェース２１０を制御する。また、ＭＰＵ１７０は、レーザ光のパワーを最適記録パワーに設定するようにレーザドライバ２３０を制御し、レーザドライバ２３０は、最適記録パワーを有するレーザ光を発生するように半導体レーザ（図示せず）を駆動する。これによって、光ピックアップ１１０は、最適記録パワーを有するレーザ光を光磁気ディスク１００に照射する。
【００８６】
そして、インタフェース２１０は、入力された記録データをＲＡＭ１９０へ格納する。ＭＰＵ１７０は、ＲＡＭ１９０から記録データを読出してスクランブル処理を行なった後に記録データをエンコードするようにＥＣＣエンコーダ１８１を制御し、ＥＣＣエンコーダ１８１は、ＲＡＭ１９０から記録データを読出し、記録データを所定の方式によってエンコードし、そのエンコードした記録信号を磁気ヘッド駆動手段２２０へ出力する。磁気ヘッド駆動手段２２０は、入力された記録信号に基づいて磁気ヘッド２４０を駆動し、磁気ヘッド２４０は、記録信号によって変調された磁界を光磁気ディスク１００に印加する。これによって、最適記録パワーで信号が光磁気ディスク１００に記録される。
【００８７】
次に、信号の再生動作について説明する。ＭＰＵ１７０は、光ピックアップ１１０を所望の位置へ移動させるようにサーボ手段１３０を制御し、レーザ光のパワーを最適再生パワーに設定するようにレーザドライバ２３０を制御する。サーボ手段１３０は、光ピックアップ１１０を所望の位置へ移動させる。レーザドライバ２３０は、最適再生パワーを有するレーザ光を発生するように半導体レーザ（図示せず）を駆動する。これによって、光ピックアップ１１０は、最適再生パワーを有するレーザ光を光磁気ディスク１００に照射する。そして、光ピックアップ１１０は、光磁気ディスク１００から信号を再生し、その再生した再生信号をアナログ信号処理手段１２０へ出力する。アナログ信号処理手段１２０は、再生信号の高域と低域とをカットし、再生信号をアナログ信号からデジタル信号へ変換してＥＣＣデコーダ１８２へ出力する。ＭＰＵ１７０は、再生信号に対してスクランブル処理を解除する処理を行なうようにＥＣＣデコーダ１８２を制御する。ＥＣＣデコーダ１８２は、再生信号をそのままデコードして再生データをＲＡＭ１９０へ格納するとともに、ＲＡＭ１９０に格納した再生データを所定単位づつ読出してインタフェース２１０を介して外部へ出力する。ＭＰＵ１７０は、ＥＣＣデコーダ１８２から再生信号のエラーレートを受け、その受けたエラーレートに基づいてレーザ光のパワーが最適化されていないと判定したとき、上述したパワー調整を行なうように制御する。
【００８８】
このようにして、光ディスク装置２００は、光磁気ディスク１００に信号を記録および／または再生する。
【００８９】
実施の形態１によれば、光ディスク装置は、レーザ光のパワー調整を行なうとき、ランド用の元データおよびグルーブ用の元データをメモリに格納し、ランド用の元データとグルーブ用の元データとを用いて、それぞれ、ランドとグルーブとに対して初期化用データおよび評価用データを生成してレーザ光のパワー調整を行なうので、パワー調整の処理時間を短縮できる。また、ランド用の元データとグルーブ用の元データとをメモリに格納するときの容量を少なくでき、通常動作におけるメモリ容量を確保できる。
【００９０】
［実施の形態２］
図１７を参照して、実施の形態２による光ディスク装置３００は、光ディスク装置２００から磁気ヘッド駆動回路２２０および磁気ヘッド２４０を削除したものであり、その他は、光ディスク装置２００と同じである。
【００９１】
光ディスク装置３００においては、ＥＣＣエンコーダ１８１はエンコードした記録信号をレーザドライバ２３０へ出力する。そして、レーザドライバ２３０は、記録信号によって変調されたレーザ光を発生するように光ピックアップ１１０に含まれる半導体レーザ（図示せず）を駆動する。また、光ディスク装置３００には、光磁気ディスク１００に代えてＤＶＤ−ＲＡＭ等の光ディスク１００Ａが装着される。つまり、光ディスク装置３００は、レーザ光により光ディスク１００Ａに信号を記録および／または再生する装置である。
【００９２】
光ディスク装置３００における再生パワーの最適化および記録パワーの最適化の動作は、実施の形態１における動作と同じである。また、光ディスク装置３００における光ディスク１１０Ａへの信号の記録動作および信号の再生動作も実施の形態１における動作と同じである。
【００９３】
実施の形態２による光ディスク装置は、実施の形態１による光ディスク装置と同じ効果を有する。
【００９４】
なお、本発明においては、「光ディスク」は、光磁気ディスクと、ＤＶＤ−ＲＡＭとを含む。すなわち、「光ディスク」は、磁界とレーザ光とにより信号を記録し、レーザ光を用いて信号を再生する光磁気ディスクに加え、磁界を用いずに信号を記録および／または再生する光ディスクも含む。
【００９５】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【図１】  光磁気ディスクのバンド構造を概念的に示す平面図である。
【図２】  光磁気ディスクとそのフォーマットを示す平面図である。
【図３】  バンド、フレーム、およびセグメントの関係を説明するための図である。
【図４】  記録データ列のフォーマットを示す概略図である。
【図５】  プリフォーマット領域、ユーザデータ領域からのデータの再生を説明するための図である。
【図６】  実施の形態１による光ディスク装置の概略ブロック図である。
【図７】  図６に示すＥＣＣエンコーダのブロック図である。
【図８】  図７に示すスクランブル回路の回路図である。
【図９】  元データと元データに対してスクランブル処理を行なったデータとを示す図である。
【図１０】  図８に示すシフトレジスタに入力される入力データを示す図である。
【図１１】  図６に示すＥＣＣデコーダのブロック図である。
【図１２】  実施の形態１による再生パワーの最適化の動作を説明するためのフローチャートである。
【図１３】  図１２に示す初期化処理を説明するためのフローチャートである。
【図１４】  図１２に示す評価用データの記録処理を説明するためのフローチャートである。
【図１５】  実施の形態１による記録パワーの最適化の動作を説明するための第１のフローチャートである。
【図１６】  実施の形態１による記録パワーの最適化の動作を説明するための第２のフローチャートである。
【図１７】  実施の形態２による光ディスク装置の概略ブロック図である。
【符号の説明】
１  グルーブ、２  ランド、３Ａ，３Ｂ  ファインクロックマーク、４〜９  ウォブル、１０，３０  プリフォーマット領域、２０  ユーザデータ領域、４０，５０  回路、１００  光磁気ディスク、１００Ａ  光ディスク、１１０  光ピックアップ、１２０  アナログ信号処理手段、１３０  サーボ手段、１４０  モータドライバ、１５０  スピンドルモータ、１６０  アドレス検出回路、１７０ＭＰＵ、１８０  デジタル信号処理手段、１８１  ＥＣＣエンコーダ、１８２ＥＣＣデコーダ、１９０  ＲＡＭ、２００，３００光ディスク装置、２１０  インタフェース、２２０磁気ヘッド駆動回路、２３０  レーザドライバ、２４０磁気ヘッド、４００，５０２，５０５  減算器、５００，５０１，５０３，５０４  加算器、１０２０  光検出器、１０２０Ａ，１０２０Ｂ，１０２０Ｃ，１０２０Ｄ，１０２０Ｅ，１０２０Ｆ，１６１０〜１６１２  領域、１８１０  スクランブル回路、１８１１  シフトレジスタ、１８１２〜１８２０  ＥＸ−ＯＲゲート、１８２１  エンコーダ、１８２２  スクランブル解除回路、１８２３  デコーダ。
【図１】
0003813462.tif 000002
【図２】
0003813462.tif 000003
【図３】
0003813462.tif 000004
【図４】
0003813462.tif 000005
【図５】
0003813462.tif 000006
【図６】
0003813462.tif 000007
【図７】
0003813462.tif 000008
【図８】
0003813462.tif 000009
【図９】
0003813462.tif 000010
【図１０】
0003813462.tif 000011
【図１１】
0003813462.tif 000012
【図１２】
0003813462.tif 000013
【図１３】
0003813462.tif 000014
【図１４】
0003813462.tif 000015
【図１５】
0003813462.tif 000016
【図１６】
0003813462.tif 000017
【図１７】
0003813462.tif 000018